(57)【特許請求の範囲】
【請求項１】
ガイドレール１を設置する階段２について、長さ・傾斜角・湾曲半径等を実測し、
上記実測値に基づきＣＡＤシステムを用いて３次元的な階段図面を作成して、
ａ）必要となるガイドレール１の全長、傾斜角、湾曲半径等のデータと、
ｂ）鉄製平板材から、少なくとも下部段用の直線傾斜状部６、湾曲傾斜状部７、上部段用の直線傾斜状部８用の各横長状板材３，４，５を分割形成するためのデータと、
ｃ）昇降機の駆動用ローラ周部の凸部と噛合可能な四角孔９の位置・形状・大きさに関するデータと、
ｄ）上記湾曲傾斜状部７を踊り場１０へ設置時に、湾曲傾斜状部７の途中で傾斜角が浅くなり、上段部における階段上面２ｂから直線状傾斜部８までの高さｎが、下段部での同様の高さｍとほぼ等しくなるように、その横長状板材４を長手方向に「ヘ」の字状に屈曲した形状とするデータとを得て、
それらのデータをレーザー加工機に入力して、鉄製平板材から上記各横長状板材３，４，５をレーザー加工で分割形成し、
その後に湾曲傾斜状部７用の横長状板材４を、円筒体１１に斜め状に捲きかけてベンダー加工して湾曲傾斜状に形成し、
それを、上・下段部の直線傾斜状部用の各横長状板材３，５と長手方向へ接続して、少なくとも下部段用の直線傾斜状部６、湾曲傾斜状部７、上部段用の直線傾斜状部８をもつ長尺のガイドレール１とすることを特徴とする、椅子式階段昇降機用ガイドレールの製造方法。
【発明の詳細な説明】
【技術分野】
【０００１】
本発明は、椅子式階段昇降機用ガイドレール、即ち椅子付きの階段昇降機用のガイドレールの製造方法に関するものである。ガイドレールの製造及び階段への設置を容易・安価かつ精度良く行うと共に、階段へ設置後は、昇降機がスムーズに移動できるようにし、かつ高齢者等の利用者にも優しいものにすることを特徴としている。
【背景技術】
【０００２】
椅子式階段昇降機は、例えば足腰が弱った高齢者・病人等（以下高齢者等という）が自分の力で階段を昇り降りし難い場合に、階段に設置したガイドレールに沿って昇降する昇降機の椅子に座って、昇降することを可能とするものである。その階段昇降機に用いるガイドレールとしては従来より幾つかのものがある。
【先行技術文献】
【特許文献】
【０００３】
ガイドレールの内、特に階段の途中に曲がり部分があるような場所に設置するガイドレールとしては、例えば下記のようなものが提案されている。
イ）ガイドレールの断面形状が丸形状やダルマ形状のパイプを用いるものであって、従来よりこのようなパイプを用いたものが多く、例えば下記公報に記載のものがこれに当たる。
【特許文献１】特開２００１−３２８７８２号公報
【特許文献２】特表２００６−５０６２９５号公報
【特許文献３】英国特許ＧＢ２１６８０１９公報
【０００４】
ロ）本願発明に比較的に近いものの例として、長尺の横長板材を短手方向が垂直状になるように設置するものがあり、例えば下記の公報に記載のものがそれである。
【特許文献４】特開平９−２２１２９０号公報
【特許文献５】登録実用第３０２３５００号公報
【発明の概要】
【発明が解決しようとする課題】
【０００５】
ところが、従来の上記階段昇降機用ガイドレールには、次のような問題点があった。
ａ）上記特許文献１ないし３におけるパイプ製のガイドレールは、強度面や昇降機本体の椅子を水平かつ安定に保ち易いという利点はある。しかし、階段途中の踊り場の形状に対応して、ガイドレールを三次元的な傾斜湾曲状（螺旋状）に形成する必要がある場合には、その曲げ加工をスムーズに行うことが容易でなく、作業性も悪かった。
【０００６】
また狭い横幅の階段では、ガイドレールの湾曲半径も小さくする必要があるが、通常用いられているパイプは直径が４５ないし４８．６ｍｍであるから、その湾曲半径を小さくするには限界があった。さらに特許文献２におけるように断面形状がダルマ形のパイプ製や、特許文献３のように２本のガイドレールを用いるもは、ガイドレールにラックギヤを組み込んだものが多いが、その製造は容易ではなくて製造コストが高くついた。
これらは、ガイドレールの断面形状が角形、Ｃ形やＨ形としたものについても、ほぼ同様のことが言える。
【０００７】
ｂ）上記引用文献４のガイドレールは、横長状板材を短手方向が垂直状になるようにして長手方向へ接続し、その上縁部に丸パイプを一体化したものである。その側面の長手方向にはラックとしてのチエーンを設け、または等間隔状にラック歯を多数個形成して、そこに昇降機本体のスプロケットが噛合して、昇降可能としてある。
【０００８】
しかしこのガイドレールでは、各戸で異なる階段の形状に対応させるために、如何にして三次元的な傾斜湾曲部を形成するのか、その製造方法が明らかにされていない。またパイプと一体化したこのガイドレールを、階段の形状に対応して傾斜湾曲状に製造することや、階段の形状に上手く合致するように設置する作業も簡単ではない。特に階段が小さい湾曲状部をもつ場合には、製造が一層難しい。
【０００９】
さらに上記ラックとして、ガイドレールの側面にチエーンまたはラック歯を設けているので、ガイドレールの水平状湾曲や傾斜湾曲状が小さい湾曲半径になっている位置では、チエーンが変形したり、ラック歯の形成が難しかったり、またスプロケットとの噛合がスムーズにいかなくなったりしてしまう問題点が残っている。
【００１０】
ｃ）他方、引用文献５のガイドレールは、長尺の長板材を短手方向が垂直状になるようにして用いる点では、上記特許文献４に記載のものと共通部分があると言える。しかしこのガイドレールも、各戸で異なる階段の形状に対応して、どのようにして三次元的な傾斜湾曲状に形成するのかについて、その手段が全く記載されておらず示唆も無い。それゆえに、やはり実現性があるのかとの疑問がある。
【００１１】
またこのガイドレールでは、その上縁部または下縁部にラック部を形成して、そこに昇降機本体のピニオンを噛合させて移動可能とし、かつガイドレールの上縁部または下縁部にガイドローラが接するように設けてある。そのため、昇降機本体がこのガイドレール上を移動時に昇降機本体に振動が伝わって乗り心地が悪いし、またレールの水平状湾曲部や傾斜湾曲部では、ラック部とスプロケットとの噛合状態が悪くなることも推測される。
【００１２】
本発明は、従来の上記椅子式階段昇降機用ガイドレールがもつ上記問題点の解消を課題としたものである。即ち本発明の主たる目的は、各戸で異なる階段の形状に対応した上・下段部の直線傾斜状部・傾斜湾曲部等をもつガイドレールを、容易・安価かつ精度良く製造できると共に、階段への設置作業も容易かつ安価に行え、さらに無理なくスムーズに移動できて、高齢者等の利用者の不安感を除いた、優しい階段昇降機用ガイドレールの製造方法を提供することにある。
【課題を解決するための手段】
【００１３】
本発明に係る椅子式階段昇降機用ガイドレール１の製造方法は、
ガイドレール１を設置する階段２について長さ・傾斜角・湾曲半径等を実測し、
上記実測値に基づきＣＡＤシステムを用いて３次元的な階段図面を作成して、
ａ）必要となるガイドレール１の全長、傾斜角、湾曲半径等のデータと、
ｂ）鉄製平板材から、少なくとも下部段用の直線傾斜状部６、湾曲傾斜状部７、上部段用の直線傾斜状部８用の各横長状板材３，４，５を分割形成するためのデータと、
ｃ）昇降機の駆動用ローラ周部の凸部と噛合可能なラック用の四角孔９の位置・形状・大きさに関するデータと、
ｄ）上記湾曲傾斜状部７を踊り場１０へ設置時に、湾曲傾斜状部７の途中で傾斜角が浅くなり、上段部における階段上面２ｂから直線状傾斜部８までの高さ（間隔）ｎが、下段部での同様の高さ（間隔）ｍとほぼ等しくなるように、その横長状板材４を長手方向に「ヘ」の字状に屈曲した形状とするデータとを得て、
それらのデータをレーザー加工機に入力して、鉄製平板材から上記各横長状板材３，４，５をレーザー加工で分割形成し、
その後に湾曲傾斜状部７用の横長状板材４を、円筒体１１に斜め状に捲きかけてベンダー加工して湾曲傾斜状に形成し、
それを、上・下段部の直線傾斜状部用の各横長状板材３，５と長手方向へ接続して、少なくとも下部段用の直線傾斜状部６、湾曲傾斜状部７、上部段用の直線傾斜状部８をもつ長尺のガイドレール１とするものである。
【００１４】
上記構成において、ガイドレール１は、少なくとも下部段用の直線傾斜状部６、踊り場用の湾曲傾斜状部７・上部段用の直線傾斜状部８を有するが、それらは基本的な単位部分であって、それ以外の部分を有さない意味ではない。例えば、下部段用の直線傾斜状部６の前部に水平状部１２を有したり、上部段用の直線傾斜状部８の後部にも水平状部１３を有したり、図示は省略するが踊り場１０用の水平湾曲状部を有したりしてもよい。
【００１５】
湾曲傾斜状部７とは、傾斜しながら湾曲する部分、即ち、螺旋形の一部をなすように、傾斜しながら湾曲する３次元的に形成した部分を意味する。
【発明の効果】
【００１６】
本発明に係る階段昇降機用ガイドレールの製造方法によれば、鉄製平板から、各戸で異なる階段の形状に対応して、少なくとも下部段用の直線傾斜状部６、湾曲傾斜状部７、上部段用の直線傾斜状部８等の基本的部分を備えたがイドレール１を、容易・安価かつ精度良く製造できると共に、各戸で異なる階段への設置作業も容易・迅速かつ安価に行え、しかも無理のないスムーズな昇降で高齢者等の利用者に一層優しい階段昇降機を得ることができる。
【００１７】
イ）まず、本発明に係る階段昇降機用ガイドレールを製造方法から述べると、その前半工程は、受注後に置いてこのガイドレール１を設置する階段の形状・寸法・傾斜角等を実測し、その実測値に基づき２次元および３次元ＣＡＤシテスムを用いて、上記下段部用の直線傾斜状部６、踊り場１０用の湾曲傾斜状部７、上部段用の直線傾斜状部８の各展開図を作成し、そのデータをレーザー加工機に入力して、鉄製平板から上記各部に対応する各横長状板材３，４，５を分割形成することである。また同時にレーザー加工にて、各横長状板材３，４，５の側面に、駆動用として等間隔状に多数のラック用の四角孔９も形成しておく。
【００１８】
なお、下部段用の直線傾斜状部６の前部や、上部段用の直線傾斜状部８の後部に水平状部１２，１３がある場合は、上記展開図の段階で既に各水平状となる部分が描かれており（例えば図４参照）、それをレーザー加工によりその部分も同時に形成された横長状板材３，５になっている（例えば図５，図７参照）。そのため、横長状板材を短手方向に曲げるような無理な加工は必要無いし、また水平状部だけを別途形成しておき後で直線傾斜状部に接続するような必要もなく、本発明に係るガイドレール１の製造は容易・迅速かつ精度よく行える。
【００１９】
これで、各戸の階段で異なる寸法・形状・傾斜角等の条件に対応すると共に側面にラック用の四角孔９付きの、ガイドレール構成材としての複数枚の横長状板材３，４，５を、容易・迅速かつ精度よく製造できることになる。
【００２０】
ロ）次に、本発明に係るガイドレールを製造する後半工程は、各戸で異なる階段２の寸法・形状に併せて立体的に形成することである。上記の如く鉄製平板をレーザー加工で各部の展開図に対応して複数枚の横長状板材３，４，５を分割形成してあるから、それを階段の各部に応じた形状に加工すればよい。
【００２１】
階段の踊り場１０に対応するには、ガイドレール１を湾曲傾斜状に形成する必要があるが、この場合に、本発明の製造方法では、平板から形成した横長状板材４をベンダーで円筒体１１に斜めに捲きかけて厚み方向へ湾曲形成すればよい（例えば図８参照）。そのため、従来のパイプ状のレール（例えば上記特許文献１，同２，同３参照）や、一部にパイプをもつレール（上記特許文献４参照）と異なり、この湾曲作業は非常に容易であるし、湾曲半径を小さくすることも容易に行えるから、狭い階段でも省スペースで設置可能なガイドレールになる。
【００２２】
ガイドレール１としての下部・上部段用の各直線傾斜状部６，８や湾曲傾斜状部７等用の各横長板状材３，４，５等を形成した後は、それらを短手方向が垂直状になる状態で、階段の形状に応じて長手方向へ接続すればよい。これにより形成されたガイドレール１の側面には、各横長板材３，４，５の段階で予め側面に等間隔状の多数のラック用の四角孔９も形成されているから、別途改めて駆動用のラックなどの機構をガイドレール１に設ける必要がなく、この面でも製造が容易になっている。
【００２３】
ハ）さらに、本発明の製造方法により製造したガイドレール１では、上記に加えて高齢者等の利用者に優しいという効果がある。即ち、そのガイドレール１を設置した場合に、階段に踊り場１０があって、そこにガイドレール１の湾曲傾斜状部７を設置する場合に、踊り場１０で折り返して上部段用の直線傾斜状部８へさしかかった位置近傍では、図９で示すような状態になる。その際、湾曲傾斜状部７が、仮に図１０で示すような直線状の横長板材４を湾曲形成したものである場合（図面符号は本願のものと一致させてある）は、同図９の二点鎖線で示すように、上部階段の上面２ｂからガイドレール１の直線傾斜状部８下端縁までの高さ（間隔）ｌが、下段階段の上面２ａからガイドレール１の直線傾斜状部６までの高さ（間隔）ｍに比べて大きくなってしまっていた。これでは昇降機の椅子に座った高齢者等の利用者は不安感を覚える。
【００２４】
これに対して、本発明のガイドレール１の湾曲傾斜状部７で用いた横長状板材４は、その長手方向の途中で「ヘ」の字状に屈曲した形状にレーザー加工で切り抜いたもの（例えば図６参照）を、湾曲形成したものである。そのため、この傾斜状湾曲部７をもつカイドレール１を設置すると、該湾曲傾斜状部７はその途中からその傾斜角が浅い方向へ曲がるように設けられる。即ち、図９の実線で示す如く、上段部で階段上面２ｂから直線傾斜状部８下端縁までの高さ（間隔）ｎは、下段部で階段上面２ａから直線上傾斜部６下端縁までの高さ（間隔）ｍとほぼ等しくなっており、その状態で上段の直線傾斜状部８が継続している。
【００２５】
このように、上部段で階段上面２ｂから直線形状状部８までの高さｎが、下部段での階段上面２ａから直線傾斜状部６までの高さｍとほぼ等しいことにより、昇降機本体の椅子に座って昇降する高齢者等の利用者は無理のないスムーズな昇降ができて、違和感・不安感を与えることがなくなり、彼らに優しい階段昇降機用ガイドレールとなっている。
【００２６】
ニ）なお、図示は省略したが、ガイドレール１を階段の内回り部分に設置する場合で、その部分での傾斜角を大きくする必要があるなら、上記傾斜湾曲状部７用の横長状板材７を上下逆向きにして、逆「ヘ」の字状となったものを湾曲形成すればよい。その場合の傾斜湾曲状部７は、例えば図１０で示すような直線状の横長状板材を用いる場合よりも傾斜角が大きくなるから、階段のその部分に対応できるようになる。またこの場合に、駆動用にチエーンを固着したり凹凸したラック部を反対面に設けたものと異なり、上記駆動用四角孔９表裏いずれからも利用可能である。
【図面の簡単な説明】
【００２７】
【図１】本発明に係る椅子式階段昇降機用ガイドレールの製造工程中、実測値に基づき２次元ＣＡＤシステムで描いた階段とレールに関する平面図である。
【図２】図１で示したものの側面図である。
【図３】２次元ＣＡＤシステムのデータに基づき３次元ＣＡＤシステムで描いた階段とレールに関する斜視図である。
【図４】３次元ＣＡＤシステムで描いた図のデータに基づき、ガイドレールだけを取り出した全体展開平面図である。
【図５】データをＮＣレーザー加工機に入力して切断した、下段部の傾斜直線状部用の横長状部材の平面図である。
【図６】データをＮＣレーザー加工機に入力して切断した、傾斜湾曲状部用の横長状部材の平面図である。
【図７】データをＮＣレーザー加工機に入力して切断した、下段部の傾斜直線状部用の横長状板材の平面図である。
【図８】図６で示した長板状部材からベンダー加工で傾斜湾曲状部に湾曲形成時の正面図である。
【図９】各横長状板材を長手方向へ接続したガイドレールを階段に設置した際の踊り場近傍での要部拡大側面図である。
【図１０】傾斜湾曲状部用の横長状板材が直線状のものを示す平面図である。
【発明を実施するための形態】
【００２８】
本発明に係る階段昇降機用ガイドレールの製造方法は、設置する階段の形状・寸法・傾斜角等に応じて、２次元ＣＡＤと３次元ＣＡＤシステムを用いて鉄製の平板材から、少なくとも下部段用の直線傾斜状部６、踊り場用の湾曲傾斜状部７・上部段用の直線傾斜状部８等用の複数枚の横長状板材３，４，５を形成し、それらを長手方向へ接続して長尺としたものを短手方向が垂直状になるようにして、階段２に沿って傾斜・湾曲させながら設置可能としたものである。また上記湾曲傾斜状部７用の横長状板材４は、途中で長手方向に「ヘ」の字状に屈曲した形状に切断形成したものを、円筒体に斜め状に捲きかけて湾曲形成したものを用いる。
【実施例１】
【００２９】
図１ないし図９は、本発明に係る椅子式階段昇降機用ガイドレールの製造方法の実施例を示すものである。
このガイドレール１は、設置する階段２の寸法・形状・傾斜角等に対応する複数枚の横長状板材３，４，５を、短手方向が垂直状になるようにして長手方向へ接続して長尺としたものであり、その側面に、駆動用のラック用四角孔を等間隔状で多数個形成してある。また該ガイドレール１の内の湾曲傾斜状部７用の横長状板材４は、途中で長手方向に「ヘ」の字状に屈曲した形状のものを、円筒体１１に斜め状に捲きかけて形成したものを用いている。
【００３０】
その形状が理解し易いように、このガイドレール１の製造方法から説明する。予め、ガイドレール１を設置しようとする階段の形状・寸法・傾斜角等を実測しておき、その実測値を２次元ＣＡＤシステムを用いて２次元化したデータを得る。そのデータより作成さたるものを図１・図２で示す。なおここでのガイドレール１は、下部段用の直線傾斜状部６や上部段用の直線傾斜状部８に、各々水平状部１２，１３を有するものにしてある。
【００３１】
次に、上記２次元化したデータを更に３次元ＣＡＤシステムを用いて３次元化すると共に、設置する階段用のガイドレール１となるように、下部段用の直線傾斜状部６、踊り場用の湾曲傾斜状部７、および上部段用の直線傾斜状部８とするための各横長状板材３，４，５用のデータと、鉄製平板材から分割形成するための適切な分割箇所、即ち後の接続箇所１８のデータも得る。そのデータにより表示したガイドレール全体の展開図を図４で示す。
【００３２】
さらに上記湾曲傾斜状部７用の横長状板材４は、途中で長手方向に「ヘ」の字状に屈曲した形状になるように考慮してある。この「へ」の字の傾斜角αは、ここでは図６で示すように約１０°位になるようにしておく。なお、ここで用いた２次元ＣＡＤや３次元ＣＡＤシステムは、機器は米国ダッソー・システムズ・ソリッドワークス社製で、ソフトはソリッドワークス社製の三次元ＣＡＤソフトを用いた。
【００３３】
次に、上記３次元ＣＡＤシステムによるデータをＮＣレーザー加工機に入力して、鉄製平板材から下部段用の直線傾斜状部６、踊り場用の湾曲傾斜状部７、上部段用の直線傾斜状部８となる各横長状板材３，４，５を切断形成する。同時に、この各横長状板材３，４，５の側面には、長手方向へ等間隔状に、ラック用としての四角孔９も多数個形成しておく。
【００３４】
該四角孔９は、該ガイドレール１に沿って移動する昇降機本体側の駆動用ローラ周部の等間隔の凸部が、順次に噛合可能な大きさ・形状であるが、その縦寸法はレールの縦曲がり部分で凸部が余裕をもって噛合可能なものに形成しておく。ここでは、鉄製平板材として、高張力鋼材のＳＭ５７０（新日鉄製）で、厚み９ｍｍ，幅１５０ｍｍの平板材を用いた。
【００３５】
なお、上記の下部段用の直線傾斜状部６となる横長状板材３や、上部段用の直線傾斜状部８となる横長状板材５は、階段へ設置時に各々水平状部１２，１３が連続形成されるように、図６で示す如く前者３の前部位置や後者５の後部位置を、逆「へ」の字状や「ヘ」の字状に曲がった部分に切断形成してある。なお、湾曲傾斜状部用の横長状板材４には、後にベンダーで湾曲状に曲げる際の曲げ位置もマーキングしておく（上記図６参照）。
【００３６】
さらに上記湾曲傾斜状部７となる横長状板材４は、長手方向の途中位置から長手方向に「ヘ」の字状に屈曲した形状に切断して形成したものを用いる。ここで、「ヘ」の字状の屈曲の程度は、上記の如く長手方向に約１０°の傾斜角がつくように形成してある。この横長状板材４を湾曲傾斜状に形成するには、図８で示す如く、専用ベンダーの円筒体１１に、その軸線に対して斜め状に捲きかけて厚み方向へ曲げて、湾曲傾斜状に形成する。
【００３７】
次に、上記の如く形成した下段部の直線湾曲状部６用の横長状部材３、湾曲傾斜状部７用の横長状部材４、上段部の直線傾斜状部８用の横長状部材５を、短手方向が垂直状になるようにして長手方向へ接続することで長尺とし、それを階段２へ設置すればよい。これら各横長状部材３，４，５の接続には、ここでは裏面に保持板（図示略）を設けてネジ止めで行っている。１４は各横長状板材３，４，５の接続部を示す。
【００３８】
上記のように形成したガイドレール１を階段に設置した場合、特に踊り場１０における湾曲傾斜状部７は、上記の如く「へ」の字状の横長状部材を湾曲形成したものであるから、図９の実線で示すように、上部段における階段上面２ｂから直線状傾斜部８下端面までの高さ（間隔）ｎは、下部段における階段上面２ａから直線状傾斜部６下端面までの高さ（間隔）ｍとほぼ等しくなっている。湾曲傾斜部７を形成した横長状部材４が、「へ」の字状でなくて仮に直線状のものを湾曲形成した場合には、同図で二点鎖線で示すように、踊り場１０で湾曲傾斜すると床面との傾斜角が大きくなって、上部段の直線状傾斜部６に接続されるから、両者の差は明らかである。
【００３９】
このように、本発明のガイドレール１によれば、上段部での階段上面２ｂの高さｎが、下段部での階段団面２ａとの高さｍとほぼ等しい状態で連続しているから、無理なくスムーズな昇降移動が可能となり、椅子に座って該ガイドレール１上を昇降する高齢者その他の利用者は不安感を覚えなくなる。
【００４０】
なお、このガイドレール１には、上記駆動用四角孔９に干渉しない位置に、長手方向への等間隔状に補強用横リブ１５を設けてあり、また短手方向への補強用縦リブ１６も設けてあり、上記補強用横リブ１５には階段への取付脚を設ければよい。上記実施例中で示した材質・寸法・角度等の数値や、ＣＡＤの機種名・ソフト等は例示であって、これに限定するものでないことは勿論である。
【産業上の利用可能性】
【００４１】
本発明は、椅子式階段昇降機用のガイドレールの製造方法であり、鉄製平板材から、各戸で異なる階段の形状に対応した直線傾斜状部６・水平湾曲状部・三次元形状の湾曲傾斜部等からなるガイドレールを、容易かつ安価で精度良く製造できると共に、階段への設置作業も容易・迅速かつ安価に行うことができ、しかも高齢者等の利用者に優しいものにすることができる。
【符号の説明】
【００４２】
１−ガイドレール
２−階段
２ａ−階段上面
２ｂ  階段上面
３−横長状板材
４−横長状板材
５−横長状板材
６−直線傾斜状部
７−湾曲傾斜状部
８−直線傾斜状部
９−四角孔
１０−踊り場
１１−円筒体
１２−水平状部
１３−水平状部
１４−接続部
１５−横リブ
１６−縦リブ
１７−分割用線
１８−湾曲用マーキング
α−傾斜角
ｍ−高さ
ｎ−高さ
ｌ−高さ
【要約】
【課題】椅子式階段昇降機用ガイドレールを、各戸で異なる階段に対応可能で、容易・安価かつ精度良く製造できると共に、階段への設置作業も容易かつ安価に行え、さらに高齢者等の利用者が不安感なく利用できるようにする。
【解決手段】設置する階段を予め実測し、そのデータに基づいてＣＡＤシステムとレーザー加工機により、鉄製板材から複数枚の横長状板材３，４，５を分割形成すると共に、側面の長手方向に多数個の四角孔９を設け、踊り場用の横長状板材４は、長手方向に「へ」の字形に屈曲した形状に形成して、それを筒状体に斜め状に捲きかけて湾曲形成し、他の横長状板材３，５と共に短手方向が垂直状になる状態で長手方向へ接続し、階段へ設置後は湾曲傾斜状部７の途中で傾斜角が浅くなり、上段部の直線傾斜状部６と階段の上面２ｂとの間の間隔ｎが、下段部での間隔ｍよりも小さくなって連続したものとする。
【選択図】        図９【図１】
0004612116.tif 000002
【図２】
0004612116.tif 000003
【図３】
0004612116.tif 000004
【図４】
0004612116.tif 000005
【図５】
0004612116.tif 000006
【図６】
0004612116.tif 000007
【図７】
0004612116.tif 000008
【図８】
0004612116.tif 000009
【図９】
0004612116.tif 000010
【図１０】
0004612116.tif 000011